(57)【要約】【課題】  溶血を抑制するとともに、簡単な設備で除去時間を短縮する薬剤除去フィルター、薬剤除去システム、及び薬剤除去方法を提供する。【解決手段】  薬剤除去フィルター１は、血液製剤が導入される入口２ａと、血液製剤が排出される出口２ｂとを有する円筒形カラム２と、円筒形カラム２内に収納され、薬剤を吸着除去可能な粒子状活性炭３と、を備え、粒子状活性炭３は、比表面積が９００ｍ２／ｇ以上、１８００ｍ２／ｇ以下であり、かつ円筒形カラム２内に直径Ｄ、高さＬで収容され、Ｌ／Ｄ比が０．５以上、４．４以下であり、通気圧損は、０．００５ｋＰａ以上、０．０３０ｋＰａ以下であることを特徴とする。【選択図】図１
2015080508.tif 000002
【特許請求の範囲】
【請求項１】
血液製剤中に含まれる不活化対象物を不活化する薬剤を、前記血液製剤から除去する薬剤除去フィルターであって、
前記血液製剤が導入される入口と、前記血液製剤が排出される出口とを有する筒状容器と、
前記筒状容器内に収納され、前記薬剤を吸着除去可能な粒子状活性炭と、を備え、
前記粒子状活性炭は、比表面積が９００ｍ２／ｇ以上、１８００ｍ２／ｇ以下であり、かつ前記筒状容器内に直径Ｄ、高さＬで収容され、Ｌ／Ｄ比が０．５以上、４．４以下であり、
通気圧損は、０．００５ｋＰａ以上、０．０３０ｋＰａ以下である、ことを特徴とする薬剤除去フィルター。
【請求項２】
前記粒子状活性炭は、粒径の平均値が１．２ｍｍ以上、２．５ｍｍ以下である、ことを特徴とする請求項１記載の薬剤除去フィルター。
【請求項３】
前記粒子状活性炭は、親水化材で被覆されている、ことを特徴とする請求項１又は２に記載の薬剤除去フィルター。
【請求項４】
請求項１〜３のいずれか一項記載の薬剤除去フィルターと、
前記血液製剤を貯留する血液製剤貯留手段と、
前記薬剤が前記薬剤除去フィルターによって除去された前記血液製剤を回収する血液製剤回収手段と、を備えていることを特徴とする、薬剤除去システム。
【請求項５】
請求項１〜３のいずれか一項記載の薬剤除去フィルターを用いた薬剤除去方法であって、
前記血液製剤を前記入口から導入するとともに前記出口から排出し、前記薬剤を除去する薬剤除去工程を備えていることを特徴とする薬剤除去方法。
【発明の詳細な説明】
【技術分野】
【０００１】
本発明は、血液製剤から薬剤を除去する薬剤除去フィルター、薬剤除去システム、及び薬剤除去方法に関するものである。
【背景技術】
【０００２】
近年、輸血分野においては、血液製剤中に含まれる病原体あるいは白血球の増殖能を輸血前に失活（不活化）させる技術が、欧州を中心に普及している。このような不活化技術は、大別して薬剤（不活化薬剤）投与、光照射、またはこれらの組み合わせによって達成される。
【０００３】
病原体とは、例えば、ウイルス、細菌、原虫、寄生虫などのＤＮＡやＲＮＡを有するものである。病原体の不活化によって、ＨＢＶ、ＨＣＶ、ＨＩＶ、ＨＡＶ、ＨＥＶ、ＨＴＬＶ、ＷＮＶ、ＣＭＶなどのウイルスによる感染症、細菌による感染症、バベシア症、シャーガス病、マラリアなどの原虫による感染症といった輸血に伴う感染症を防止することができる。仮に、血液製剤に未知の病原体種あるいは検出困難な希薄な濃度レベルの病原体が含まれていた場合でも、不活化によって、感染症のリスクを抑えることができる。また、白血球の不活化によって、白血球が原因で引き起こされる輸血による副作用を抑えることができる。白血球が原因となる輸血による副作用には、比較的軽微なものとして、頭痛、吐き気、悪寒、及び非溶血性発熱反応などがあり、重篤なものとしては、輸血後ＧＶＨＤ（Ｇｒａｆｔ  Ｖｅｒｓｕｓ  Ｈｏｓｔ  Ｄｉｓｅａｓｅ）などがある。
【０００４】
病原体に対する不活化技術としては、血漿製剤の場合、Ｓ／Ｄ法（Ｏｃｔａｐｈａｒｍａ社）、ＵＶＣ照射（Ｍａｃｏｐｈａｒｍａ社）、メチレンブルーと可視光照射の組み合わせ(Ｍａｃｏｐｈａｒｍａ社)、アモトサレンとＵＶＡ照射の組み合わせ（ＣＥＲＵＳ社）、リボフラビンとＵＶＢ照射の組み合わせ（Ｔｅｒｍｏ  ＢＣＴ社）によるものがある。
【０００５】
また、血小板製剤の場合は、アモトサレンとＵＶＡ照射の組み合わせ（ＣＥＲＵＳ社）によるものが欧州を中心に利用されている。更に、赤血球製剤の場合は、エチレンイミン多量体（Ｉｎａｃｔｉｎｅ，ＶＩＴＥＸ社）、アクリジン誘導体（ＣＥＲＵＳ社）、リボフラビンとＵＶＢ照射の組み合わせ（Ｔｅｒｍｏ  ＢＣＴ社）、ジメチルメチレンブルー（米赤十字社）等によるものがある。このような病原体の不活化技術自体は開発が進んでいる。
【０００６】
血液製剤の不活化技術において不活化薬剤を使用する場合、不活化後の遊離薬剤は通常、除去する必要がある。これは遊離薬剤が、輸血投与される人体（受血者）に対し有害な作用を及ぼすためである。不活化薬剤には主として二通りの機序がある。一つは有機溶剤と界面活性剤を血液製剤に添加し、病原体細胞のリン脂質膜を溶解させる不活化機序である。もう一つはＤＮＡの末端塩基を標的とした化学結合性を持つ薬剤を血液製剤に添加し、病原体ＤＮＡ末端塩基に不可逆的な結合を形成することで病原体の転写、複製を阻止する不活化機序である。いずれも不活化後の残分薬剤が血液製剤中に残存したまま輸血に提供された場合、受血者の健常な血球細胞膜や体細胞膜に損傷や抗体産生を引き起こし、発がん性、変異原性を示す恐れがある等の副作用が知られているため、薬剤除去が必要である。
【０００７】
従来、例えば、特許文献１〜３に示されるように、フィルターの入口から血液製剤を流入させて重力により出口から排出させ、血液製剤中の薬剤を除去するフロー式技術が知られている。また、例えば、特許文献２、３に示されるように、容器内で血液製剤をフィルター材に長時間接触させ、容器を振とうさせながら、薬剤をフィルター材に吸着させることで除去するバッチ式技術が知られている。
【先行技術文献】
【特許文献】
【０００８】
【特許文献１】特表２００３−５１２０９３号公報
【特許文献２】特開２０１２−６７１２６号公報
【特許文献３】特開２０１０−３１０４９号公報
【発明の概要】
【発明が解決しようとする課題】
【０００９】
しかし、特許文献１は、多孔質不織材料を含む薬剤除去フィルターにより、血漿製剤から薬剤を除去するフロー式技術に関するものであり、血漿製剤からの薬剤除去率については十分な性能を示しているが、血小板、および赤血球を含む血液製剤に適用した場合の薬剤除去能、溶血の程度については言及されていない。
【００１０】
また、特許文献２は、多孔質合成高分子粒子を含む薬剤除去フィルターにより、血漿製剤、あるいは血小板製剤から薬剤を除去するフロー式技術、およびバッチ式技術に関するものである。フロー式技術は、流速の増加とともに薬剤吸着能が不十分となる傾向が示されており、バッチ式技術は、十分な薬剤除去能を得るために３時間以上の長時間、振とう接触を要するため、十分な薬剤除去率を得るための処理時間が長いという問題がある。また、赤血球を含む血液製剤に適用した場合の薬剤除去能、溶血の程度については言及されていない。
【００１１】
また、特許文献３は、多孔質合成高分子粒子を不活性媒体で固定化した薬剤除去装置に関するものである。薬剤除去能を向上させるため、多孔質表面積を大きくする必要があるので、粒径を小粒径に限定し、比表面積をある一定以上の値とすることで十分な薬剤吸着能が得られるような多孔質合成高分子粒子を用いている。さらに不活性媒体を繊維ネットワーク等とすることにより、小粒径粒子間を血液が流れるとき、血球と小粒子間の摩擦を防止できるので、血小板、白血球、赤血球が損傷することを防止し、溶血を防ぐことができる。特にフロー装置として用いる場合には血液流路を十分確保できるので、効率的に薬剤除去できる利点がある。フロー装置、バッチ装置として用いる場合いずれも、溶血を防止しながらも高率な薬剤除去率が得られ、小粒径の粒子が脱落して輸血される危険性を防止できる。この技術は血小板、血漿、赤血球製剤への適用が可能である。しかし、小粒径の粒子を繊維ネットワーク上に固定するためには、多孔質合成高分子などの吸着剤粒子の他に比較的低融点のポリマーシースを準備しなければならず、繊維ネットワーク形成のための加熱工程が必要であり、さらに樹脂に分散する粒子密度など、品質管理や製造工程管理が煩雑であるという欠点、および製造コストが高価であるという欠点を持つ。
【００１２】
そこで、本発明は、血漿、血小板、赤血球、全血などの血液製剤を不活化する薬剤を、溶血を抑えながらしかも短時間に効率よく除去することができるフロー式の薬剤除去フィルター、薬剤除去システム、及び薬剤除去方法を提供することを目的とする。
【課題を解決するための手段】
【００１３】
本発明者らは、上記目的を達成すべく鋭意研究を重ねた結果、薬剤を吸着除去可能な比表面積及び平均粒径を有する粒子状活性炭を所定の寸法、及び通気圧損で容器内に収めた筒状デバイスを設計することにより、溶血を抑えながら不活化薬剤を高除去率で除去できる不活化薬剤除去フィルターを提供できるという知見を得た。
【００１４】
つまり、本発明の薬剤除去フィルターは、血液製剤中に含まれる不活化対象物を不活化する薬剤を、血液製剤から除去する薬剤除去フィルターであって、血液製剤が導入される入口と、血液製剤が排出される出口とを有する筒状容器と、筒状容器内に収納され、薬剤を吸着除去可能な粒子状活性炭と、を備え、粒子状活性炭は、比表面積が９００ｍ２／ｇ以上、１８００ｍ２／ｇ以下であり、かつ筒状容器内に直径Ｄ、高さＬで収容され、Ｌ／Ｄ比が０．５以上、４．４以下であり、通気圧損は、０．００５ｋＰａ以上、０．０３０ｋＰａ以下である、ことを特徴とする。
【００１５】
この薬剤除去フィルターによれば、薬剤を吸着除去可能な粒子状活性炭を備えており、薬剤除去フィルターの通気圧損を０．００５ｋＰａ以上、０．０３０ｋＰａ以下に制御することにより、赤血球を含む血液製剤に用いた場合でも、血球との摩擦が少なくなり血液ろ過時の抵抗が少なく溶血を抑えることができる。また、粒子状活性炭として、比表面積が９００ｍ２／ｇ以上、１８００ｍ２／ｇ以下の粒子を使用し、筒状容器内にＬ／Ｄ比が０．５以上、４．４以下で収容した薬剤除去フィルターを設計すれば、溶血を抑えながら高い薬剤除去率を得ることができる。
【００１６】
つまり、本発明の薬剤除去フィルターは、通気圧損を小さくし、薬剤吸着粒子として比表面積が大きい粒子を用いることを特徴としており、この技術によって赤血球製剤を含む血液製剤中での溶血を抑え、かつ高い薬剤除去率を得ることができる。本発明の薬剤除去フィルターは、粒子を筒状容器に充填するという簡易な製造方法により得られ、赤血球を含む血液製剤の溶血を抑えながら、被処理液中の薬剤を効率よく除去、および回収することができ、特許文献３の薬剤除去装置の問題点を解決できる。
【００１７】
さらに、本発明の薬剤除去フィルターは、粒子状活性炭の粒径の平均値を１．２〜２．５ｍｍとすると好適である。１．２ｍｍより小さい場合は、血液との接触による摩擦の効果で溶血する傾向にあり、２．５ｍｍより大きい場合は、十分な細孔表面積を得られないため薬剤除去能が低下する傾向にある。
【００１８】
さらに、粒子状活性炭は、親水化材で被覆されていると好適である。これによれば、赤血球と粒子状活性炭との間の疎水的な付着力が抑制されるため、赤血球表面膜がろ過時に受ける物理的摩擦を減らし、より溶血を抑えることができる。
【００１９】
本発明の薬剤除去システムは、上記薬剤除去フィルターと、血液製剤を貯留する血液製剤貯留手段と、薬剤が薬剤除去フィルターによって除去された血液製剤を回収する回収手段と、を備えていることを特徴とする。
【００２０】
この薬剤除去システムによれば、赤血球を含む血液製剤を溶血させることなく、不活化薬剤を効率よく除去することができ、かつフロー式であるため、バッチ式のように長時間の除去工程を必要とすることもなく、短時間で効率的に薬剤除去工程を完了できる。
【００２１】
本発明の薬剤除去方法は、上記の薬剤除去フィルターを用いた薬剤除去方法であって、血液製剤を入口から導入するとともに出口から排出し、薬剤を除去する薬剤除去工程を備えていることを特徴とする。
【００２２】
この薬剤除去方法によれば、バッチ式のように長時間の除去工程を必要とせず、短時間で効率的に薬剤除去工程を完了できる。また、粒子を筒状容器に充填するという簡易な製造方法により得られる薬剤除去フィルターを用いるので、赤血球を含む血液製剤の溶血を抑えながら、被処理液中の薬剤を効率よく除去、および回収することができ、特許文献３の薬剤除去装置の問題点を解決できる。
【発明の効果】
【００２３】
本発明によれば、血液製剤を不活化する薬剤を、溶血を抑えながら効率よく除去することができる薬剤除去フィルター、薬剤除去システム、及び薬剤除去方法を提供することができる。
【図面の簡単な説明】
【００２４】
【図１】本発明の実施形態に係る薬剤除去フィルターの断面図である。
【図２】本発明の実施形態に係る薬剤除去システムの構成を示す図である。
【発明を実施するための形態】
【００２５】
以下、図面を参照しつつ本発明に係る薬剤除去フィルターの好適な実施形態について詳細に説明する。
（薬剤除去フィルター）
【００２６】
まず、図１を参照して、実施形態に係る薬剤除去フィルター１について説明する。薬剤除去フィルター１は、血液製剤中の不活化対象物を不活化するための薬剤を吸着除去する薬剤吸着カラムである。血液製剤とは、全血製剤、濃厚赤血球製剤、血小板製剤、血漿製剤等の輸血に用いられる各種血液製剤である。また、血液製剤中の不活化対象物とは、例えば病原体や白血球などであり、薬剤とは、例えば、病原体不活化薬剤である。
【００２７】
ここで、「病原体不活化」とは、ウイルス、細菌、原虫、寄生虫などの病原体に対し、それらが複製または増殖する能力を奪うことである。また、「病原体不活化薬剤」とは、血液製剤中に混入している、ウイルス、細菌、原虫、寄生虫などの病原体を不活化する機能を持つ薬剤である。また、病原体不活化薬剤を用いて行う不活化のための処理（病原体不活化処理）とは、病原体不活化薬剤を血液製剤中に添加し、必要に応じて一定時間光を照射する処理方法である。病原体不活化薬剤は、光増感作用により一重項酸素、ヒドロキシラジカル、過酸化水素等の反応性の高い化合物を発生させ、病原体ＤＮＡやＲＮＡに障害を与えたり、病原体ＤＮＡやＲＮＡの塩基間に共有結合を生成させ、病原体ＤＮＡの開裂、ＲＮＡによるウイルスタンパク発現や自己複製に関する挙動を妨げたりすることで病原体を不活化する。病原体不活化薬剤としては、アクリジン誘導体、チアジン誘導体、フェノチアジン誘導体、ピリジン誘導体、ポルフィリン誘導体、クマリン誘導体、ピリミジン誘導体、リボフラビン、ソラレン誘導体、エチレンイミン多量体等が挙げられる。
【００２８】
薬剤除去フィルター１は、入口２ａと出口２ｂとを有する円筒形カラム（筒状容器）２と、円筒形カラム２内に収容された粒子状活性炭３とを備えている。円筒形カラム２の入口２ａには、入口栓７ａが設けられている。入口栓７ａは、円筒形カラム２の内径と同じ径に打ち抜かれた円板形状をなし、その外周端面にねじが形成されている。入口栓７ａは、当該ねじを円筒形カラム２の入口２ａの内面側に形成されたねじに螺合させて入口２ａを密栓している。また、入口栓７ａの中央には、血液製剤を導入するための血液回路が接続される入口接続部４ａが円筒形カラム２の内部と連通可能に設けられている。同様に出口２ｂには、出口栓７ｂが設けられている。出口栓７ｂは、円筒形カラム２の内径と同じ径に打ち抜かれた円板形状をなし、その外周端面にねじが形成されている。出口栓７ｂは、当該ねじを円筒形カラム２の出口２ｂの内面側に形成されたねじに螺合させて出口２ｂを密栓している。出口栓７ｂの中央には、血液製剤を排出するための血液回路が接続される出口接続部４ｂが円筒形カラム２の内部と連通可能に設けられている。
【００２９】
入口栓７ａと出口栓７ｂの粒子状活性炭３側には、粒子状活性炭３を円筒形カラム２内に固定するためのメッシュ５、及びメッシュ５を押圧するシリコン製のＯリング６がそれぞれ設けられている。メッシュ５は、ポリエチレン製であり、赤血球が通る孔径を有する。
（円筒形カラム）
【００３０】
円筒形カラム２の材料は、生体適合性の良いポリ塩化ビニル、高密度ポリエチレン、低密度ポリエチレン、シリコンゴム、ポリエチレンテレフタレート、ポリテトラフルオロエチレン、ポリスチレン、ポリメチルメタクリレート、ポリウレタン、ポリアクリロニトリル、ポリアセタール、ポリアミド、ポリグリコレート、ポリエステル、ポリプロピレン、ポリカーボネート等の材料から選択されることが好ましい。
【００３１】
なお、本実施形態では円筒形であるが、これに限られない。内部にて粒子状活性炭３を保持でき、本発明が意図する通気圧損の値が得られる筒状の容器であれば、断面が楕円形状や多角形状のものであってもよい。
（粒子状活性炭）
【００３２】
粒子状活性炭３は、円筒形カラム２内に柱状に収納されている。粒子状活性炭３は、薬剤を吸着除去可能であり、特に、赤血球の溶血を低減可能な材料であれば足りる。粒子状活性炭３は、例えば、木炭、ヤシ殻、鋸屑、素灰、木片などの植物系原料、石油ピッチ、石炭ピッチ、石炭コークス、タール泥炭、亜炭などの鉱物系原料及びフェノール樹脂、レーヨン、アクリル樹脂、塩化ビニリデン樹脂などの樹脂素材である活性炭原料を球状化し、不融化、賦活、及びふるい分けすることで形成される。更に、焼成、賦活、整粒、水洗、及び乾燥工程を経ることによって、より真球度が高く硬質になるとともに、マイクロポアが形成される。またあるいは、上記原料を不融化、炭化、整粒、賦活、洗浄、乾燥、破砕、ふるい分けすることにより顆粒状の粒子状活性炭３が形成される。
【００３３】
粒子状活性炭３は、通気圧損を０．００５ｋＰａ以上、０．０３０ｋＰａ以下に制御する場合において、比表面積が９００ｍ２／ｇ以上、１８００ｍ２／ｇ以下であることが望ましい。比表面積が９００ｍ２／ｇ未満の場合には、薬剤除去率が低下するおそれがある。
【００３４】
ここで、比表面積とは、多孔質体の多孔度の指標であり、多孔質体の細孔表面積を含めた表面積を多孔質体の単位重量当たりに換算した量である。比表面積は、窒素分子の吸着量によるＢＥＴ法や水銀圧入法などにより、細孔分布を測定して求めることができる。粒子状活性炭３は、特にミクロ孔（８Å〜２０Å）、またはメソ孔（２０Å〜５００Å）に分布のピークがみられるものである。このような分布を有する細孔は、特に低分子不活化薬剤の吸着に優れた性能を発揮する。
【００３５】
粒子状活性炭３は、円筒形カラム２内に、直径Ｄ、高さＬで収容されており、Ｌ／Ｄ比が０．５以上、４．４以下であることが好ましい。なお、本実施形態では、円筒形カラム２の内部に粒子状活性炭３が満たされるように充填されているため、粒子状活性炭３の収容状態を規定する直径Ｄ、及び高さＬは、実質的に円筒形カラム２の内径、及び内部空間における長手方向の寸法と一致している。しかしながら、円筒形カラム２の内部が、より広い場合、例えば、長手方向の寸法が長い場合において、粒子状活性炭３の収容領域を調整することにより、Ｌ／Ｄ比を０．５以上、４．４以下の範囲にすることも可能である。
【００３６】
ここで、Ｌ／Ｄ比は、収容された状態の粒子状活性炭３の細長さの指標である。Ｌ／Ｄ比が０．５以上、４．４以下の範囲では、８５％以上の薬剤除去率を得ることができるとともに、溶血を抑えることができる。Ｌ／Ｄ比のより好ましい範囲は、１．６以上、３．５以下である。Ｌ／Ｄ比が１．６以上の範囲では、９９．５％の薬剤除去率が得られる。また、Ｌ／Ｄ比が３．５以下の範囲では、血液製剤を導入した際、目詰まりが起こりにくく、ろ過時間が短く処理が済むため好ましい。Ｌ／Ｄ比が大きすぎると、赤血球と粒子状活性炭３との接触頻度が高くなるため、赤血球表面が障害されやすく溶血しやすくなる傾向がある。逆にＬ／Ｄ比が小さすぎると、円筒形カラム２内に導入された血液製剤の流れに偏りが生じる。これによって、粒子状活性炭３の血液濡れ部分が偏り、濡れない部分の粒子は薬剤除去に寄与できず、十分な薬剤除去率が得られなくなるおそれがある。
【００３７】
粒子状活性炭３は、円筒形カラム２内に、通気圧損が０．００５ｋＰａ以上、０．０３０ｋＰａ以下となるように充填されることが好ましい。通気圧損が０．００５ｋＰａより小さい範囲では、粒子状活性炭３の比表面積や、Ｌ／Ｄ比が十分高いフィルター設計を実施した場合でも、円筒形カラム２内の粒子間空隙が過大となり、粒子状活性炭３表面の細孔と薬剤との接触頻度が不十分となるため、薬剤除去率は８５％より小さくなる。また、通気圧損が０．０３０ｋＰａより大きい範囲では、円筒形カラム２内に粒子状活性炭３が充填された際、カラム中の粒子間空隙が過小となり、粒子状活性炭３と血球との接触頻度が過剰になるため、血液製剤の溶血を引き起こす。
【００３８】
ここでいう通気圧損とは、円筒形カラム２の入口２ａから、通気線速７０ｃｍ／分以上８０ｃｍ／分で乾燥空気を流入し、入口２ａと出口２ｂの間の圧力損失を測定した数値である。圧力損失の測定方法は、以下のとおりである。空気を排出する圧気を０．０５ＭＰaに調節する。次に圧気流量をマスフローラ―（ＥＳＴＥＣ  ＳＥＣ−４００）と膜流量計（ＥＳＴＥＣ  ＰＡＣ−Ｓ５）を用いて上記通気線速の範囲に入るよう調節し、圧気流量を十分安定させた状態で、圧力トランスデューサ（ＣＯＳＭＯ  ＰＴ−１０３Ｂ−Ａ）を接続したＤＰゲージ（ＣＯＳＭＯ  ＤＰ−３３０ＢＡ）に表示される圧力の数値を読み取る（バックグラウンド）。その後、圧気流量を十分安定させた圧気を円筒形カラム２の入口２ａに差し込み、出口２ｂから圧気を自由に排出させ、圧気の流れが安定したのちにＤＰゲージに表示される圧力の数値を再び読み取る。最後に、円筒形カラム２の入口２ａに圧気を差し込んだ後の通気圧損からバックグラウンドを差し引いた値をフィルターの通気圧損値として測定する。
【００３９】
本実施形態の粒子状活性炭３は球形であるが、球形以外の形状であっても使用できる。例えば、特開２０１２−６７１２６号公報、２０１０−３１０４９号公報等に記載されているような、球形から外れた非対称な断面構造をもつものでもよい。ただし、生産効率の高さの観点から、円形の断面構造である方が好ましい。球形とすることで、吸着能力が均一な薬剤除去フィルター１を大量生産しやすくなる。なお、球状とは、任意の断面のうち、円形、楕円形、非対称な楕円形を少なくとも1つ以上含む形状をいう。任意の断面のすべてが円形、楕円形、非対称な楕円形となる形状であることが好ましい。球形から大きく外れた形状の場合、円筒形カラム２内に充填する際、密に充填できなかったり、意図せず大きな空隙が生じたりすることがある。密に充填できない場合、十分な活性炭表面積が得られず、薬剤除去率が低下するおそれがある。また、大きな空隙が生じた場合、片流れが生じ、粒子状活性炭３の表面の一部が薬剤除去に利用されなくなり、薬剤除去率が低下するおそれがある。
【００４０】
粒子状活性炭３は、粒径の平均値が１．２ｍｍ以上、２．５ｍｍ以下の粒子であることが好ましい。粒径の平均値が１．２ｍｍより小さいと、空隙の大きさが十分でないため、空隙を血球が通過する際、活性炭と血球との接触による摩擦が大きくなり、溶血するおそれがある。また、粒径の平均値が２．５ｍｍより大きいと、空隙の大きさが十分あるため溶血しにくいが、粒子状活性炭３の表面積が小さくなり、十分な薬剤除去率が得られないおそれがある。
【００４１】
粒子状活性炭３は、ヒドロキシエチルメタクリレート系重合体をはじめとした生体親和性の高い親水化材で被覆されていることが好ましい。このような親水化材は、血液に対して影響がないものであれば、特に限定なくいかなるものでも使用できる。例えば、ｐｏｌｙ（２−ｈｙｄｒｏｘｙｅｔｈｙｌ  ｍｅｔｈａｃｒｙｌａｔｅ）（ＰＨＥＭＡ）、ｐｏｌｙ（Ｎ−ｉｓｏｐｒｏｐｙｌ  ａｃｒｙｌａｍｉｄｅ）（ＰＮＩＰＡＡｍ）、ｐｏｌｙ（Ｎ，Ｎ−ｄｉｍｅｔｈｙｌ  ａｃｒｙｌａｍｉｄｅ）（ＰＤＭＡＡｍ）、ｐｏｌｙ（ｖｉｎｙｌ  ａｌｃｏｈｏｌ）（ＰＶＡ）、ｐｏｌｙ（Ｎ−ｖｉｎｙｌ−２−ｐｙｒｒｏｌｉｄｏｎｅ）（ＰＶＰ）等が挙げられる。この中でも特に汎用性が高く、生産コストが抑えらえるｐｏｌｙ（２−ｈｙｄｒｏｘｙｅｔｈｙｌ  ｍｅｔｈａｃｒｙｌａｔｅ）（ＰＨＥＭＡ）、ｐｏｌｙ（Ｎ−ｖｉｎｙｌ−２−ｐｙｒｒｏｌｉｄｏｎｅ）（ＰＶＰ）等の合成高分子を素材とする親水化ポリマーが好ましい。
【００４２】
親水化ポリマー被覆により、赤血球と粒子状活性炭３との間の疎水的な付着力が抑制されるため、赤血球表面膜がろ過時に受ける物理的摩擦を減らし、溶血を抑えることができる。粒子状活性炭３は、親水化処理を行った後、更に湿熱滅菌または放射線滅菌を行うことが好ましい。これによって、粒子状活性炭３の表面に架橋が起こり、薬剤除去フィルター１の生産工程で、粒子状活性炭３の表面から粉塵が発生することが抑制される。これに伴い、薬剤除去フィルター１の使用時に、血液製剤に微粒子が混入することも抑制される。
（メッシュ）
【００４３】
メッシュ５は、円筒形カラム２の入口２ａ及び出口２ｂに設けられ、粒子状活性炭３を円筒形カラム２内に固定する固定部材として機能している。メッシュ５は、円筒形カラム２の内径と同じ径に打ち抜かれた円形形状をなしている。メッシュ５は、合成高分子材料からなり、血液に対して影響がなければ特に限定なくいかなるものでも使用できる。例えば、ポリアミド、ポリエステル、ポリアクリロニトリル、ポリウレタン、ポリビニルホルマール、ポリビニルアセタール、ポリトリフルオロクロルエチレン、ポリ（メタ）アクリレート、ポリスルホン、ポリスチレン、ポリエチレン、ポリプロピレン、セルロース、セルロースアセテート等が挙げられる。この中でも特に汎用性が高く、安価なポリエチレン、ポリプロピレン等のポリエステルが好ましい。メッシュ５の孔径は、２０μｍ以上、５００μｍ以下が望ましい。孔径が２０μｍ未満の場合、赤血球などの細胞成分が目詰まりを起こし通り抜けられないため、血液製剤の回収自体が困難となる。逆に、孔径が５００μｍを超える場合は、粒子状活性炭３がメッシュ５を通って漏出し、血液製剤中に混入するリスクがある。より好ましいメッシュ５の孔径は、１５０μｍ以上、２５０μｍ以下である。
【００４４】
薬剤除去フィルター１のように血液製剤を流入させ、フロー式で粒子状活性炭３のようなフィルター材に接触させるデバイスは、インラインカラムという。インラインカラムを用いる方法は、長時間に渡り血液製剤とフィルター材とを接触させるバッチ式のような振とう装置が必要ない。また、落差により短時間で不活化薬剤除去が完了するため、経済的、かつ作業が効率的であるため好ましい。バッチ式では、活性炭と赤血球との接触時間増加による赤血球表面の損傷により、溶血が引き起こされる傾向があるため、赤血球を含む血液製剤には適さない。
【００４５】
薬剤除去フィルター１の容量は、血液製剤５００ｍｌに対し、５〜２０ｍｌが望ましい。容量が５ｍｌ未満である場合には、薬剤除去に使用できる粒子状活性炭３の表面積が不足し、薬剤の除去効率が低下するおそれがある。容量が２０ｍｌを超える場合には、血液製剤が円筒形カラム２や血液回路内に残留することにより、血液製剤の回収率が９０％を下回ってしまう。なお、薬剤除去フィルター１の容量とは、例えば、入口接続部４ａ、出口接続部４ｂ及びＯリング６の内側といった粒子状活性炭３が収容されていない部分も含めた容量である。
【００４６】
薬剤除去フィルター１に含まれる粒子状活性炭３は、使用の直前まで乾燥状態である。これにより、常温で滅菌状態を維持することができ、製造後に長期間保管されるような場合でも品質管理が容易である。また、血液製剤が粒子状活性炭３の表面に接触すると、被覆された親水化ポリマーが膨潤し、赤血球との接触による摩擦が減少するため、赤血球を含む血液製剤の溶血を抑制できる。また、親水化ポリマーにより活性炭表面の濡れ性が向上するため、片流れによる薬剤除去効率の低下をきたすことなく、良好な流量を維持しながら血液製剤をろ過することが可能である。
【００４７】
以上のような構成を有する実施形態の薬剤除去フィルター１によれば、比較的高濃度の不活化用の薬剤を有する血液製剤であっても、薬剤を高い除去率で除去できる。更に、この薬剤除去フィルター１によれば、回収される血液製剤の溶血を効果的に防ぐことができる。
【００４８】
また、薬剤除去フィルター１は、使用時において実質的に問題となるような形状変形を起こし得ない材料から成っている。これにより、適切なＬ／Ｄ比を保持し、十分な除去性能を維持することができる。
【００４９】
上述の特許文献１〜３に記載されるような従来の技術の場合、赤血球を含む血液製剤に対する薬剤除去手段としては遠心分離による除去しか実施見込みがないが、実施形態の薬剤除去フィルター１は、落差で血液製剤を処理するのみで良いため処理時間が大幅に減少できる利点がある。
（薬剤除去システム）
【００５０】
次に、実施形態に係る薬剤除去フィルター１を備えて構成される実施形態の薬剤除去システム１０について図２を参照して説明する。図２は、薬剤除去システム１０の構成図である。
【００５１】
薬剤除去システム１０は、薬剤除去フィルター１と、血液製剤を貯留する血液製剤バック（血液製剤貯留手段）１１と、薬剤を供給する薬剤供給部１２と、不活化用バック１３と、薬剤除去後の血液製剤を回収する処理液回収バック（血液製剤回収手段）１４と、配管Ｌ１〜Ｌ５と、クランプＣ１〜Ｃ４と、を備える。
【００５２】
血液製剤は、例えば、全血、濃厚赤血球製剤、血小板製剤、血漿製剤等である。薬剤供給部１２は、不活化用バック１３に血液チューブなどの配管Ｌ１によって接続され、配管Ｌ１を通じて不活化用バック１３に薬剤を供給する。血液製剤バック１１は配管Ｌ２に接続され、配管Ｌ２は処理開始時に配管Ｌ１にＳＣＤ接続される。不活化用バック１３は、血液製剤バック１１及び薬剤供給部１２から配管Ｌ１、Ｌ２を介して全血及び薬剤を受け入れ、不活化処理を行う。
【００５３】
不活化用バック１３と薬剤除去フィルター１の入口接続部４ａ（図１参照）とは、配管Ｌ３によって互いに接続され、処理液回収バック１４と薬剤除去フィルター１の出口接続部４ｂ（図１参照）は、配管Ｌ４によって互いに接続されている。薬剤除去フィルター１には、配管Ｌ３を通じ、不活化薬剤を含む血液製剤が供給される。粒子状活性炭３を備えた薬剤除去フィルター１では、血液製剤中に含まれる薬剤を吸着除去する。薬剤を吸着除去された血液製剤は、配管Ｌ４を通じて処理液回収バック１４に回収される。
【００５４】
また、配管Ｌ３、Ｌ４は分岐して薬剤除去フィルター１をバイパスする配管Ｌ５からなるバイパス経路を形成している。配管Ｌ５は、処理液回収バック１４の空気抜きに用いられる。クランプＣ１は、配管Ｌ１の不活化用バック１３がＳＣＤ接続される場所よりも不活化用バック１３側に備えられている。また、クランプＣ２、Ｃ３、Ｃ４は、それぞれ配管Ｌ３、Ｌ５、Ｌ４に備えられている。
（薬剤除去方法）
【００５５】
続いて、薬剤除去システム１０を用いた薬剤除去方法について説明する。
（１）まず、クランプＣ１、Ｃ２、Ｃ３、Ｃ４がすべて閉じていることを確認する。
（２）血液製剤バック１１に接続する配管Ｌ２を配管Ｌ１にＳＣＤ接続する。
（３）クランプＣ１を開けて配管Ｌ１を開通させ、薬剤供給部１２から配管Ｌ１を通じて薬剤を不活化用バック１３に供給するとともに、血液製剤バック１１から配管Ｌ２，Ｌ１を通じて血液製剤を落差によって不活化用バック１３に導入する。
（４）配管Ｌ１をクランプＣ１より不活化用バック１３側でシールして切り、血液製剤バック１１及び薬剤供給部１２側の配管Ｌ１を捨てる。
（５）不活化用バック１３中で薬剤及び血液製剤を混和し、必要に応じて所定時間ＵＶ照射してからインキュベート（静置）する。インキュベート中に不活化が起こる。
（６）インキュベート完了後、不活化用バック１３中で再度血液製剤を混和し、クランプＣ２、Ｃ４を開けて、不活化用バック１３から、血液製剤を、配管Ｌ３を通じて薬剤除去フィルター１に送り出し、薬剤除去フィルター１をろ過する。薬剤除去フィルター１でろ過された血液製剤は、配管Ｌ４を通じて処理液回収バック１４に回収される（薬剤除去工程）。
（７）クランプＣ３を開けて、配管Ｌ５を開通させる。
（８）処理液回収バック１４の空気を、空になった不活化用バック１３に配管Ｌ５を通して逃がす。
（９）クランプＣ２、Ｃ３、Ｃ４を閉じる。
（１０）シールして、処理液回収バック１４を取り出す。
【００５６】
以上、実施形態を参照しつつ本発明を説明したが、本発明は、上記実施形態に限定されるものではなく、つまり、このシステムは、システムの構築例にすぎず、バッグや回路の構築方法、配置、およびシステムの使用条件、方法、手順を限定するものではない。
【実施例】
【００５７】
以下、実施例により本発明を更に詳細に説明するが、本発明は以下の実施例によって限定されるものではない。
（実施例１）
（薬剤除去フィルターの作成）
【００５８】
内径が１３ｍｍ、容量５ｍＬの円筒形カラムであるＭｏＢｉＴｅｃ社ラボラトリーポリエチレンカラムを用いて、粒子状活性炭の静電気を除電ブラシ、除電シートにより除去しつつ、振動させながら、直径Ｄ＝１３ｍｍで、Ｌ＝２１ｍｍの高さまで密に充填した。なお、直径１３ｍｍの円形に打ち抜いた、孔径２００μｍのＰＥメッシュと外径１３ｍｍ、内径９ｍｍのシリコン製Ｏリングを薬剤除去フィルターの入口側、および出口側に挿入することにより、充填された粒子状活性炭を固定し、Ｌ／Ｄ比が１．６の薬剤除去フィルターを作成した。
（比表面積の測定）
【００５９】
(株)島津製作所の自動比表面積測定装置Ｔｒｉｓｔａｒ３０００の測定セルに、ＰＨＥＭＡによって親水化コートされた粒子状活性炭を０．５０ｇ入れて密栓し、(株)島津製作所のサンプル脱ガス装置ＶａｃＰｒｅｐ０６１を用いて１００ミリＴｏｒｒ以下で６０分間脱ガスを行った。吸着ガスは窒素ガスとした。また、吸着温度は、液体窒素温度とした。定容式ガス吸着法によるＢＥＴ比表面積の測定結果は、１１００ｍ２／ｇであった。
（粒径の平均値の測定）
【００６０】
粒子状活性炭の集合体から、無作為に１００個をサンプリングし、粒子が重ならず、顕微鏡画像範囲に収まるよう１つのガラスシャーレに、１０個ずつ、計１０個のシャーレに並べた。そのうち１つのシャーレをＫＥＹＥＮＣＥ社製デジタル顕微鏡ＶＨＸ−９００にセットし、シャーレ底面に対し鉛直上方から光を当て、１０個の粒子が一視野に収まるよう、倍率を２５倍に合わせた後、標準ゲージを撮影し、正確なスケールを得た。次に、光量、焦点を合わせ、繰り返し１０個のシャーレで撮影した後、顕微鏡に接続されたＰＣの画像解析ソフトを用いて、球の直径測定を行い、相加平均を計算することで粒径の平均値を計算したところ、２．０ｍｍであった。
（通気圧損値の評価）
【００６１】
ＥＳＴＥＣ社製マスフローラ―ＳＥＣ−４００と、ＥＳＴＥＣ社製膜流量計ＰＡＣ−Ｓ５を用いて通気線速７５ｃｍ／分に調節した乾燥空気の圧気流量を十分安定させた状態で、ＣＯＳＭＯ社製圧力トランスデューサＰＴ−１０３Ｂ−Ａを接続したＣＯＳＭＯ社製ＤＰゲージＤＰ−３３０ＢＡに表示される圧力の数値を読み取った（バックグラウンド）。その後、上記流量の圧気を円筒形カラム２の入口２ａに差し込み、出口２ｂから圧気を自由に排出させ、圧気流量が安定した後にＤＰゲージに表示された圧力の数値を再び読み取った。最後に、円筒形カラム２の入口２ａに圧気を差し込んだ後の圧力値から、バックグラウンドを差し引いたところ、０．０１２ｋＰａであった。
（ろ過による薬剤除去方法）
【００６２】
生理食塩水にメチレンブルーを０．２ｍＭ溶解させたろ過前液を、上記薬剤フィルターの入口から流入させ、出口より排出させた。ろ過流速は、市販の白血球除去フィルターの全血ろ過に用いられる際の代表的な線速０．５６（ｍｌ／分／ｃｍ２）に合わせ４４．７（ｍｌ／ｈｒ）に設定したシリンジポンプを用いてろ過を実施した。また、ろ過液の回収量は、市販の白血球除去フィルターを全血ろ過に用いる際の代表的な単位ろ材重量当たりの回収容量２０．２（ｍｌ／ｇ）に合わせた容量（ｍｌ）を回収した。
（薬剤除去率の評価）
【００６３】
得られたろ過前後液は、ＪＡＳＣＯ社製紫外可視分光光度計Ｖ−５７０により６４４ｎｍの吸光度測定を行った。さらに濃度既知のメチレンブルー溶液により得た検量線を用いて濃度計算を実施し、薬剤除去率を以下の式により求めたところ、除去率は９９．５％以上であった。
薬剤除去率（％）＝（ろ過後のメチレンブルー濃度ｍＭ）／（ろ過前のメチレンブルー濃度ｍＭ）×１００
（ヒト全血採取および保存条件）
【００６４】
健常人ヒト全血は、ヒト全血１００ｍｌに対し、抗凝固剤としてＣＰＤ１４ｍｌを添加する割合での採血を実施した結果得られた。ヒト全血は、室温２２℃で保管し、採取から４時間以内に使用した。
（健常人ヒト全血ろ過条件）
【００６５】
上記方法で採血したろ過前液を、上記薬剤フィルターの入口から流入させ、出口より排出させた。ろ過流速は、市販の白血球除去フィルターの全血ろ過に用いられる際の代表的な線速０．５６（ｍｌ／分／ｃｍ２）に合わせ、４４．７（ｍｌ／ｈｒ）に設定したシリンジポンプを用いてろ過を実施した。また、ろ過液の回収量は、市販の白血球除去フィルターを全血ろ過に用いる際の代表的な単位ろ材重量当たりの回収容量２０．２（ｍｌ／ｇ）に合わせた容量（ｍｌ）を回収した。
（上清ヘモグロビン値の測定方法）
【００６６】
溶血の評価は、以下のように行った。ろ過前後の血液を３０００ｒｐｍ、１５分間遠心分離することにより、上清を回収した。その後、ＨｅｍｏＣｕｅ社のＰｌａｓｍａ／Ｌｏｗ  Ｈｂ  Ｓｙｓｔｅｍ装置と、専用のキュベットＳｔｏｒａｇｅ  ｆｏｒ  ＨｅｍｏＣｕｅ（登録商標）Ｐｌａｓｍａ／Ｌｏｗ  Ｈｂ  Ｍｉｃｒｏｃｕｖｅｔｔｅｓを用いて上清Ｈｂ（遊離Ｈｂ）を測定したところ、０．００ｇ／ｄＬとなった。ここで「溶血が生じない」とは、上清Ｈｂ値が０．０２ｇ／ｄＬを超えないことを意味する。
【００６７】
以上のように、実施例１の血液処理フィルターでは、Ｌ／Ｄ比１．６、粒径の平均値２．０ｍｍ、比表面積１１００ｍ２／ｇ、通気圧損０．０１２ｋＰａとすることにより、薬剤除去率は９９．５％以上、上清Ｈｂ値は０．００ｇ／ｄＬとなった。
【００６８】
このようにＬ／Ｄ比、通気圧損及び比表面積をそれぞれ適正な値とすることで十分な薬剤除去率が得られた。また、溶血が生じなかった。
（実施例２）
【００６９】
粒子状活性炭を実施例１と同じ円筒形カラムに充填する際、充填高さＬを４６ｍｍに調整してＬ／Ｄ比を３．５とし、実施例１と同様の方法により測定した通気圧損が０．０２６ｋＰａであったこと以外は、実施例１と同じ薬剤除去フィルター、及びろ過方法を用いたところ、薬剤除去率は９９．５％以上、上清Ｈｂ値は０．０１ｇ／ｄＬとなった。
【００７０】
このようにＬ／Ｄ比、通気圧損及び比表面積をそれぞれ適正な値とすることで十分な薬剤除去率が得られた。Ｌ／Ｄ比が実施例１よりも大きいため、通気圧損も実施例１より大きいが、上清Ｈｂ値は若干上昇した程度で、「溶血が生じない」範囲内であった。
（実施例３）
【００７１】
粒子状活性炭を実施例１と同じ円筒形カラムに充填する際、充填高さＬを６．５ｍｍに調整してＬ／Ｄ比を０．５とし、粒子状活性炭について、実施例１と同様の方法により測定した比表面積が９００ｍ２／ｇ、粒径の平均値が２．５ｍｍ、通気圧損が０．００５ｋＰａであったこと以外は、実施例１と同じ薬剤除去フィルター、及びろ過方法を用いたところ、薬剤除去率は８５％、上清Ｈｂ値は０．００ｇ／ｄＬとなった。
【００７２】
Ｌ／Ｄ比を下限値、比表面積を下限値、粒径の平均値を上限値、及び通気圧損を下限値とすることで、薬剤除去率は低下したものの許容される値であった。また、溶血が生じなかった。
（実施例４）
【００７３】
粒子状活性炭を実施例１と同じ円筒形カラムに充填する際、充填高さＬを５７ｍｍに調整してＬ／Ｄ比を４．４とし、粒子状活性炭について、実施例１と同様の方法により測定した比表面積が１８００ｍ２／ｇ、粒径の平均値が１．２ｍｍ、通気圧損が０．０３０ｋＰａであったこと以外は、実施例１と同じ薬剤除去フィルター、及びろ過方法を用いたところ、薬剤除去率は９９．５％以上、上清Ｈｂ値は０．０２ｇ／ｄＬとなった。
【００７４】
このようにＬ／Ｄ比を上限値、比表面積を上限値、粒径の平均値を下限値、及び通気圧損を上限値とすることで、十分な薬剤除去率が得られた。通気圧損を上限値としたため、上清Ｈｂ値は「溶血が生じない」範囲の上限値となった。
（比較例１）
【００７５】
粒子状活性炭を実施例１と同じ円筒形カラムに充填する際、充填高さＬを２．６ｍｍに調整してＬ／Ｄ比を０．２とし、粒子状活性炭について、実施例１と同様の方法により測定した比表面積が９００ｍ２／ｇ、粒径の平均値が２．６ｍｍ、通気圧損が０．００２ｋＰａであったこと以外は、実施例１と同じ薬剤除去フィルター、及び薬剤除去方法を用いたところ、薬剤除去率は５４％、上清Ｈｂ値は０．００ｇ／ｄＬとなった。
【００７６】
このようにＬ／Ｄ比を過小、粒径の平均値を過大、及び通気圧損を過小としたため、十分な薬剤除去率が得られなかった。通気圧損が低いため、溶血が生じなかった。
（比較例２）
【００７７】
粒子状活性炭を実施例１と同じ円筒形カラムに充填する際、充填高さＬを６０ｍｍに調整してＬ／Ｄ比を４．６とし、粒子状活性炭について、実施例１と同様の方法により測定した比表面積が１８００ｍ２／ｇ、粒径の平均値が１．０ｍｍ、通気圧損が０．０３６ｋＰａであったこと以外は、実施例１と同じ薬剤除去フィルター、及びろ過方法を用いたところ、薬剤除去率は９９．５％以上、上清Ｈｂ値は０．１３ｇ／ｄＬとなった。
【００７８】
このようにＬ／Ｄ比を過大、粒径の平均値を過小、及び通気圧損を過大としたため、十分な薬剤除去率が得られた。しかし、通気圧損が高いため、溶血が生じた。
【００７９】
薬剤除去率、溶血の評価結果を表１に示す。
【表１】
2015080508.tif 000003
【符号の説明】
【００８０】
１…薬剤除去フィルター、２…円筒形カラム（筒状容器）、３…粒子状活性炭、１０…薬剤除去システム、１１…血液製剤バック（血液製剤貯留手段）、１４…処理液回収バック（血液製剤回収手段）。
【図１】
2015080508.tif 000004
【図２】
2015080508.tif 000005